(57)【特許請求の範囲】
【請求項１】
冷媒を圧縮して吐出す圧縮機と、前記圧縮機の吐出側に設けられ、冷媒の流路を切り替える流路切替装置と、熱源側熱交換器と、冷媒を減圧する絞り装置と、室内の空調を行う利用側熱交換器と、前記圧縮機の吸入側に設けられ、液冷媒を貯留するアキュムレータとが配管により接続された冷凍サイクルと、
前記熱源側熱交換器と前記絞り装置とを接続する配管に設けられた第１遮断装置と、
前記室内への冷媒漏れを検知する冷媒漏洩検知装置と、
前記圧縮機と前記流路切替装置と前記第１遮断装置とを制御するものであって、前記冷媒漏洩検知装置により冷媒漏れが検知された場合に漏洩量低減運転を実施する制御装置と、を備え、
前記制御装置は、
前記圧縮機の吐出側を前記熱源側熱交換器に接続するとともに、前記圧縮機の吸入側を前記アキュムレータを介して前記利用側熱交換器に接続する第１接続状態と、前記圧縮機の吐出側を前記利用側熱交換器に接続するとともに、前記圧縮機の吸入側を前記アキュムレータを介して前記熱源側熱交換器に接続する第２接続状態と、を切り替えるように前記流路切替装置を制御し、
前記漏洩量低減運転を行う際に、
前記熱源側熱交換器に冷媒を貯留するための空きがあるか否かを判定して、
空きがあると判定された場合、前記第１遮断装置を閉じ、前記流路切替装置を前記第１接続状態とし、前記圧縮機を駆動して、前記利用側熱交換器から、前記アキュムレータと前記熱源側熱交換器とを含む貯留部に冷媒を回収する冷媒回収動作を実施し、
空きがないと判定された場合、前記第１遮断装置を閉じ、前記流路切替装置を前記第２接続状態とし、前記圧縮機を停止して、前記熱源側熱交換器で凝縮した冷媒を、前記流路切替装置を介して前記アキュムレータに移動する冷媒移動動作を実施し、
前記漏洩量低減運転を行う際に前記室内の冷媒回収が完了したか否かを判定して、
完了したと判定された場合に、回収した冷媒を前記熱源側熱交換器と前記アキュムレータに封入する流出抑制動作を実施し、
完了していないと判定された場合、冷媒回収動作または冷媒移動動作の処理を繰り返して冷媒回収を続けるように制御する空気調和装置。
【請求項２】
前記圧縮機から吐出される冷媒の圧力を検出する吐出圧力センサをさらに備え、
前記制御装置は、前記吐出圧力センサで計測された吐出圧力に基づいて前記熱源側熱交換器に冷媒を貯留するための空きがあるか否かを判定する
請求項１に記載の空気調和装置。
【請求項３】
前記圧縮機へ吸入される冷媒の圧力を検出する吸入圧力センサをさらに備え、
前記制御装置は、前記吸入圧力センサで計測された吸入圧力に基づいて前記漏洩量低減運転を行う際に前記室内の冷媒回収が完了したか否かを判定する
請求項１又は２に記載の空気調和装置。
【請求項４】
前記制御装置は、完了していないと判定された場合、
前記冷媒移動動作を開始した後、設定時間経過したのち、または、前記熱源側熱交換器に冷媒を貯留するための空きがあると判定された場合に、前記冷媒移動動作を終了して、前記冷媒回収動作を実施させる
請求項１〜３のいずれか一項に記載の空気調和装置。
【請求項５】
前記制御装置は、前記冷媒回収動作を行う際に、
前記絞り装置を全開とし、かつ、前記圧縮機の周波数を、前記吐出圧力センサにより検出された吐出圧力が目標値未満であるときには増速し、前記吐出圧力が前記目標値を超えるときには減速するように制御する
請求項２、請求項２に従属する請求項３〜４のいずれか一項に記載の空気調和装置。
【請求項６】
前記制御装置は、前記吐出圧力が、予め設定された吐出圧力閾値以上である場合に、前記熱源側熱交換器に空きがないと判定する
請求項２、請求項２に従属する請求項３〜５のいずれか一項に記載の空気調和装置。
【請求項７】
前記吐出圧力閾値は、前記目標値以上に設定される
請求項５に従属する請求項６に記載の空気調和装置。
【請求項８】
前記制御装置は、前記冷媒移動動作を行う際に、前記絞り装置を全開とするように制御する
請求項１〜７のいずれか一項に記載の空気調和装置。
【請求項９】
前記制御装置は、
前記冷媒移動動作を実施している時間を計測するタイマーを備え、
前記タイマーにより計測された冷媒移動動作時間が設定時間以上になったときに前記冷媒移動動作を終了させる
請求項１〜８のいずれか一項に記載の空気調和装置。
【請求項１０】
前記制御装置は、前記流出抑制動作を行う際に、前記圧縮機を停止し、前記冷媒回収動作と前記冷媒移動動作とにより前記貯留部に貯留されている冷媒の前記利用側熱交換器への流出を抑制するように制御する
請求項１〜９のいずれか一項に記載の空気調和装置。
【請求項１１】
前記制御装置は、前記流出抑制動作を行う際に、前記流路切替装置を前記第２接続状態とし、前記第１遮断装置を全閉とし、前記絞り装置を全閉とするように制御する
請求項１０に記載の空気調和装置。
【請求項１２】
前記流路切替装置と前記アキュムレータとを接続する配管に設けられ、前記流路切替装置から前記アキュムレータへの流れを許容し、前記アキュムレータから前記流路切替装置への流れを遮断する逆流防止弁をさらに備え、
前記制御装置は、前記流出抑制動作を行う際に、前記流路切替装置を前記第１接続状態とし、前記第１遮断装置を全閉とし、前記絞り装置を全閉とするように制御する
請求項１０に記載の空気調和装置。
【請求項１３】
前記流路切替装置と前記利用側熱交換器とを接続する配管に設けられた第２遮断装置をさらに備え、
前記制御装置は、前記流出抑制動作を行う際に、前記流路切替装置を前記第１接続状態とし、前記第１遮断装置及び前記第２遮断装置を全閉とし、前記絞り装置を全閉とするように制御する
請求項１０に記載の空気調和装置。
【請求項１４】
前記圧縮機と前記流路切替装置とを接続する配管に設けられた第２遮断装置をさらに備え、
前記制御装置は、前記流出抑制動作を行う際に、前記流路切替装置を前記第２接続状態とし、前記第１遮断装置及び前記第２遮断装置を全閉とし、前記絞り装置を全閉とするように制御する
請求項１０に記載の空気調和装置。
【請求項１５】
前記制御装置は、前記吸入圧力センサにより検出された吸入圧力が、予め設定された吸入圧力閾値以下である場合に、前記室内側の冷媒回収が完了したと判定する
請求項３、請求項３に従属する請求項４〜１４のいずれか一項に記載の空気調和装置。
【請求項１６】
前記制御装置は、
前記冷媒回収動作を開始してからの時間を計測するタイマーを備え、
前記タイマーにより計測された冷媒回収動作時間が予め設定された時間を経過したときに前記室内の冷媒回収が完了したか否かを判定する
請求項１〜１５のいずれか一項に記載の空気調和装置。
【請求項１７】
前記熱源側熱交換器に空気を供給する熱源側ファンと、
前記利用側熱交換器に空気を供給する利用側ファンと、をさらに備え、
前記制御装置は、
前記冷媒回収動作又は前記冷媒移動動作を実施しているときに、前記熱源側ファンの回転数を最大値に設定し、
前記冷媒回収動作、前記冷媒移動動作又は前記流出抑制動作を実施しているときに、前記利用側ファンの回転数を最大値に設定する
請求項１〜１６のいずれか一項に記載の空気調和装置。
【請求項１８】
前記圧縮機と前記流路切替装置と前記熱源側熱交換器と前記第１遮断装置と前記アキュムレータとを少なくとも収納している室外機を備えている
請求項１〜１７のいずれか一項に記載の空気調和装置。
【請求項１９】
冷媒と熱媒体とを熱交換させる熱媒体熱交換器をさらに備え、
前記利用側熱交換器は、前記熱媒体熱交換器により熱交換された熱媒体によって前記室内の空調を行う
請求項１〜１８のいずれか一項に記載の空気調和装置。
【発明の詳細な説明】
【技術分野】
【０００１】  本発明は、冷凍サイクルに冷媒が循環する空気調和装置に関し、室内への冷媒漏洩量を低減するものである。
【背景技術】
【０００２】  従来、室外機と複数の室内機とが接続された冷媒回路と、室内機から冷媒が漏洩したことを検知する冷媒漏洩検知装置とを備え、漏洩が検知されると、室内回路の冷媒が低圧となるように冷媒を循環させる空気調和装置が知られている（例えば特許文献１参照）。特許文献１では、室内機から冷媒が漏洩した場合に、室内機の冷媒圧力と室内空間の大気圧との圧力差を小さくして冷媒の漏洩速度を低下させている。具体的には、室外熱交換器と室内熱交換器との間の膨張弁の開度を絞る等の制御が行われる。【０００３】  また従来、バイパス回路をさらに備え、室内機から冷媒が漏洩したときに、バイパス回路を介して室外機に冷媒を回収する空気調和装置が知られている（例えば特許文献２参照）。特許文献２において、空気調和装置は、圧縮機と四方弁と室外熱交換器と室外絞り装置と第１開閉弁と室内絞り装置と室内熱交換器と第２開閉弁とアキュムレータとが配管で接続された冷媒回路と、バイパス絞り装置を有するバイパス回路とを備えている。バイパス回路は、室外絞り装置と第１開閉弁との間の配管から分岐して、アキュムレータの流入側に接続されている。特許文献２の空気調和装置は、冷媒の漏洩を検知したときに、四方弁を冷房時の接続状態にして冷媒回収を行う。まず、室内絞り装置と室外絞り装置と第１開閉弁とを閉じ、第２開閉弁を開いて、ガス冷媒を回収するガス冷媒回収運転が行われる。次に、室内絞り装置と室外絞り装置と第２開閉弁とを閉じ、第１開閉弁を開いて、液冷媒を回収する液冷媒回収運転が行われる。
【先行技術文献】
【特許文献】
【０００４】
【特許文献１】特開２０１３−１７８０７３号公報
【特許文献２】特開２０１５−８７０７１号公報
【発明の概要】
【発明が解決しようとする課題】
【０００５】  しかしながら、特許文献１に記載されているような空気調和装置では、室内機の冷媒圧力を低圧にすることで漏洩量を低減しており、冷媒漏洩検知装置が冷媒の漏洩を検知してから、冷媒が漏洩した室内機の修理が行われるまで、冷媒が漏洩し続けることになる。一方、特許文献２に記載されているような空気調和装置では、冷媒回収は行われるが、ガス冷媒回収運転が行われた後で液冷媒回収運転が行われるため、液冷媒が存在する部分で冷媒が漏洩した場合に、室内への冷媒漏洩量が増大することがある。【０００６】  本発明は、上記のような課題を解決するためになされたもので、冷媒漏れが発生した場合に室内への冷媒漏洩量を低減することができる空気調和装置の提供を目的とする。
【課題を解決するための手段】
【０００７】
本発明に係る空気調和装置は、冷媒を圧縮して吐出す圧縮機と、前記圧縮機の吐出側に設けられ、冷媒の流路を切り替える流路切替装置と、熱源側熱交換器と、冷媒を減圧する絞り装置と、室内の空調を行う利用側熱交換器と、前記圧縮機の吸入側に設けられ、液冷媒を貯留するアキュムレータとが配管により接続された冷凍サイクルと、前記熱源側熱交換器と前記絞り装置とを接続する配管に設けられた第１遮断装置と、前記室内への冷媒漏れを検知する冷媒漏洩検知装置と、前記圧縮機と前記流路切替装置と前記第１遮断装置とを制御するものであって、前記冷媒漏洩検知装置により冷媒漏れが検知された場合に漏洩量低減運転を実施する制御装置と、を備え、前記制御装置は、前記圧縮機の吐出側を前記熱源側熱交換器に接続するとともに、前記圧縮機の吸入側を前記アキュムレータを介して前記利用側熱交換器に接続する第１接続状態と、前記圧縮機の吐出側を前記利用側熱交換器に接続するとともに、前記圧縮機の吸入側を前記アキュムレータを介して前記熱源側熱交換器に接続する第２接続状態と、を切り替えるように前記流路切替装置を制御し、前記漏洩量低減運転を行う際に、前記熱源側熱交換器に冷媒を貯留するための空きがあるか否かを判定して、空きがあると判定された場合、前記第１遮断装置を閉じ、前記流路切替装置を前記第１接続状態とし、前記圧縮機を駆動して、前記利用側熱交換器から、前記アキュムレータと前記熱源側熱交換器とを含む貯留部に冷媒を回収する冷媒回収動作を実施し、空きがないと判定された場合、前記第１遮断装置を閉じ、前記流路切替装置を前記第２接続状態とし、前記圧縮機を停止して、前記熱源側熱交換器で凝縮した冷媒を、前記流路切替装置を介して前記アキュムレータに移動する冷媒移動動作を実施し、前記漏洩量低減運転を行う際に前記室内の冷媒回収が完了したか否かを判定して、完了したと判定された場合に、回収した冷媒を前記熱源側熱交換器と前記アキュムレータに封入する流出抑制動作を実施し、完了していないと判定された場合、冷媒回収動作または冷媒移動動作の処理を繰り返して冷媒回収を続けるように制御する。
【発明の効果】
【０００８】  本発明の空気調和装置によれば、冷媒回収動作により、利用側回路からの漏洩を抑制しつつ、熱源側回路に冷媒を回収して利用側回路の冷媒の存在量を低減することができ、さらに冷媒移動動作により、貯留部に溜める冷媒量を増やすことができる。このように、冷媒漏れが発生した場合に室内への冷媒漏洩量を低減することができる空気調和装置を提供することができる。
【図面の簡単な説明】
【０００９】
【図１】本発明の実施の形態１に係る空気調和装置の回路構成の一例を模式的に示した図である。
【図２】本発明の実施の形態１に係る制御装置の機能を示す機能ブロック図である。
【図３】本発明の実施の形態１に係る空気調和装置の冷房運転モードにおける冷媒の流れの一例を示す図である。
【図４】本発明の実施の形態１に係る空気調和装置の暖房運転モードにおける冷媒の流れの一例を示す図である。
【図５】本発明の実施の形態１に係る空気調和装置の漏洩量低減モードにおける各アクチュエータの状態を説明する図である。
【図６】本発明の実施の形態１に係る空気調和装置の冷媒回収動作における冷媒の流れの一例を示す図である。
【図７】本発明の実施の形態１に係る空気調和装置の冷媒移動動作における冷媒の流れの一例を示す図である。
【図８】本発明の実施の形態１に係る空気調和装置の流出抑制動作における冷媒の流れの一例を示す図である。
【図９】本発明の実施の形態１に係る空気調和装置の漏洩量低減モードにおける制御フローを説明するフローチャートである。
【図１０】本発明の実施の形態２に係る空気調和装置の回路構成の一例を模式的に示した図である。
【図１１】本発明の実施の形態３に係る空気調和装置の回路構成の一例を模式的に示した図である。
【図１２】本発明の実施の形態４に係る空気調和装置の回路構成の一例を模式的に示した図である。
【発明を実施するための形態】
【００１０】実施の形態１．［空気調和装置］  図１は、本発明の実施の形態１に係る空気調和装置の回路構成の一例を模式的に示した図である。実施の形態１において、空気調和装置１００は、室外機１と２台の室内機２ａ、２ｂとが、液主管３とガス主管４と液枝管５とガス枝管６とで接続されることで形成される冷媒回路１０１を有している。また空気調和装置１００は、制御装置９０を備えており、冷房運転モード及び暖房運転モード等の通常運転と、漏洩量低減運転等を行う。
【００１１】  各液枝管５は、液主管３と各室内機２ａ、２ｂとを接続しており、各ガス枝管６は、ガス主管４と各室内機２ａ、２ｂとを接続している。以下、冷媒回路１０１において、室外機１の回路を熱源側回路といい、液主管３と、各液枝管５と、各室内機２ａ、２ｂの回路と、各ガス枝管６と、ガス主管４等とを利用側回路１０２という。なお、図１において、２台の室内機２ａ、２ｂが、液主管３とガス主管４と２つの液枝管５と２つのガス枝管６とを介して、室外機１に並列に接続されている例が示されているが、室内機は、１台であってもよく、あるいは３台以上であってもよい。
【００１２】［室外機］  室外機１は、例えば部屋の外部の室外に設置され、空調の熱を廃熱又は供給する熱源機として機能するものである。室外機１は、例えば、圧縮機１０と、流路切替装置１１と、熱源側熱交換器１２と、アキュムレータ１３と、第１遮断装置１５とを有しており、これらが配管で接続されて室外機筐体に設置されている。また、室外機１は、熱源側熱交換器１２に送風を行う熱源側ファン１６を有している。
【００１３】  圧縮機１０は、冷媒を吸入し圧縮して高温高圧の状態にするものであり、例えば容量制御可能なインバータ圧縮機等で構成されている。流路切替装置１１は、例えば四方弁等から成り、暖房運転モード時における冷媒流路と冷房運転モード時における冷媒流路とを切り替えるものである。
【００１４】  以下、冷房運転モード時における流路切替装置１１の接続状態を第１接続状態といい、暖房運転モード時における流路切替装置１１の接続状態を第２接続状態という。第１接続状態において、圧縮機１０の吐出側が熱源側熱交換器１２に接続される。一方、第２接続状態において、圧縮機１０の吸入側がアキュムレータ１３を介して熱源側熱交換器１２に接続される。
【００１５】  熱源側熱交換器１２は、冷房運転モード時には凝縮器もしくはガスクーラとして機能し、暖房運転モード時には蒸発器として機能するものであって、熱源側ファン１６から供給される空気と冷媒とを熱交換させるものである。アキュムレータ１３は、圧縮機１０の吸入側に設けられており、暖房運転モードと冷房運転モードとの違い又は過渡的な運転の変化で発生する余剰冷媒を蓄えるものである。熱源側熱交換器１２とアキュムレータ１３とは、冷媒漏洩時に冷媒回収が行われるときには、室外機１に回収された冷媒を貯留する貯留部１４として機能する。
【００１６】  第１遮断装置１５は、２台の室内機２ａ、２ｂの少なくとも一方で冷媒が漏洩した場合に各室内機２ａ、２ｂへの冷媒供給を遮断する機能を有するものである。第１遮断装置１５は、例えば電磁弁等の開閉を制御可能なものがよく、また電子式膨張弁等の開度が可変に制御可能なものでもよい。以下、第１遮断装置１５が電磁弁である場合を例に説明する。第１遮断装置１５は、冷房運転モード時の冷媒の流れ方向において、熱源側熱交換器１２の下流側に設けられている。第１遮断装置１５は、通常運転時には開放されており、漏洩量低減運転時には閉止されている。
【００１７】  また室外機１は、吐出圧力センサ８１と吸入圧力センサ８２とを有している。吐出圧力センサ８１は、圧縮機１０の吐出側の冷媒の圧力すなわち高圧圧力を検出する。吸入圧力センサ８２は、圧縮機１０の吸入側の冷媒の圧力すなわち低圧圧力を検出する。
【００１８】［室内機］  室内機２ａ、２ｂはそれぞれ、例えば部屋の内部である室内に設置され、各室内に空調空気を供給するものである。以下、室内機２ａと室内機２ｂとは同様の構成を有しているものとして、室内機２ａの構成についてのみ説明する。室内機２ａは、絞り装置２０と、利用側熱交換器２１と、利用側ファン２２と、を有している。また室内機２ａは、図示していないが、室内温度を検出する温度センサ等を有している。
【００１９】  絞り装置２０は、冷媒を減圧し膨張させる減圧弁又は膨張弁としての機能を有するものである。絞り装置２０は、例えば電子式膨張弁等の開度が可変に制御できるもので構成されるとよい。絞り装置２０は、冷房運転モード時の冷媒の流れ方向において利用側熱交換器２１の上流側に設けられている。
【００２０】  利用側熱交換器２１は、空気と冷媒とを熱交換させることで、室内空間に供給する暖房用空気あるいは冷房用空気を生成するものである。利用側熱交換器２１には、利用側ファン２２によって室内空気が送風される。利用側熱交換器２１は、流路切替装置１１が第１接続状態のとき、圧縮機１０の吸入側にアキュムレータ１３を介して接続され、流路切替装置１１が第２接続状態のとき、圧縮機１０の吐出側に接続される。
【００２１】  なお、室内機２ａが室内に設置され、利用側熱交換器２１が直接室内空気と冷媒とを熱交換させて調和空気を生成する場合について説明したが、これに限定されない。例えば、空気調和装置１００は、水等の熱媒体が循環する熱媒体回路をさらに備えていてもよい。この場合、熱媒体回路は、熱媒体を送出するポンプ等の熱媒体搬送装置と、熱媒体と冷凍サイクルの冷媒とを熱交換させる熱媒体熱交換器等とを有する。そして、熱媒体熱交換器により熱交換された熱媒体により、室内の空調が行われる。
【００２２】  また、室内機２ａ、２ｂはそれぞれ冷媒漏洩検知装置８３ａ、８３ｂを有している。各冷媒漏洩検知装置８３ａ、８３ｂは、例えば冷媒濃度センサで構成されており、室内機２ａ、２ｂ内部もしくは周辺部での冷媒漏洩の有無を検出する。なお、各冷媒漏洩検知装置８３ａ、８３ｂにより冷媒濃度が測定され、制御装置９０により冷媒漏洩の有無が判定されてもよい。
【００２３】  ここで、各冷媒漏洩検知装置８３ａ、８３ｂが冷媒漏洩を検知する検知閾値は、使用される冷媒の燃焼下限値以下となるように設定される。特に、検知閾値は、漏洩量低減モードが実行されている間の冷媒漏洩量を考慮しても燃焼下限値に達しないような値（例えば、燃焼下限値の５分の１、１０分の１もしくは２０分の１の濃度等）に設定されていることが望ましい。
【００２４】［制御装置］  制御装置９０は、空気調和装置１００の全体の制御を行うものであり、例えば、アナログ回路、デジタル回路、ＣＰＵ、又はこれらのうちの２以上を含む。また制御装置９０は、メモリ及びタイマー等を備える。制御装置９０は、各種センサで検出された検出情報と、リモコン等を介して入力された指令と、予め設定された設定値等に基づいて運転モードを実行し、各アクチュエータを制御する。
【００２５】  空気調和装置１００は、各室内機２ａ、２ｂからの指示に基づいて該当する室内機２ａ、２ｂで冷房運転及び暖房運転を実行する。図１の空気調和装置１００が実行する運転モードとしては、駆動している各室内機２ａ、２ｂの全てが冷房運転を実行する冷房運転モードと、駆動している室内機２ａ、２ｂの全てが暖房運転を実行する暖房運転モードとがある。また空気調和装置１００は、２台の冷媒漏洩検知装置８３ａ、８３ｂの少なくとも１つで冷媒漏洩が検知された場合、室内への冷媒の漏洩量を低減するために漏洩量低減モードを実行する。漏洩量低減モードには、利用側回路１０２から冷媒を回収する冷媒回収動作と、熱源側熱交換器１２からアキュムレータ１３へ冷媒を移動する冷媒移動動作と、熱源側回路に回収された冷媒の利用側回路１０２への流出を抑制する流出抑制動作とが含まれている。
【００２６】  図２は、本発明の実施の形態１に係る制御装置の機能を示す機能ブロック図である。制御装置９０は、運転制御部９１と、計時部９２と、記憶部９３とからなる。運転制御部９１は、主な運転制御を行う。記憶部９３には、各アクチュエータの制御に用いられる各種制御値、並びに、運転モード及び動作を切り替える際に用いられる設定値等が記憶されている。計時部９２は、タイマー機能を有しており、時間を計測して通知する。
【００２７】  運転制御部９１には、入力装置からの指令、各温度センサが検出した室内温度、吐出圧力センサ８１が検出した吐出圧力Ｐｄ、吸入圧力センサ８２が検出した吸入圧力Ｐｓ及び各冷媒漏洩検知装置８３ａ、８３ｂが検出した冷媒漏洩情報等の情報等が入力される。運転制御部９１は、入力された情報と設定値等とに基づいて各運転モードを実行する。具体的には、運転制御部９１は、圧縮機１０の駆動回転数、流路切替装置１１の切り替え、第１遮断装置１５の開閉、熱源側ファン１６の回転数、絞り装置２０の開度及び利用側ファン２２の回転数等を制御する。
【００２８】  記憶部９３に記憶されている設定値としては、例えば、吐出圧力閾値Ｐｄｔ、吸入圧力閾値Ｐｓｔ及び設定時間Ｔｓ等がある。吐出圧力閾値Ｐｄｔは、熱源側熱交換器１２が液冷媒で満たされているときの吐出圧力として予め設定されたものであり、漏洩量低減モードが実施されている場合には、冷媒移動動作の開始条件に用いられる。一方、吸入圧力閾値Ｐｓｔは、利用側回路１０２に冷媒が存在していないときの吸入圧力として予め設定されたものであり、漏洩量低減モードが実施されている場合には、流出抑制動作の開始条件に用いられる。設定時間Ｔｓは、冷媒移動動作を実施する時間として予め設定されたものであり、冷媒移動動作の終了条件に用いられる。
【００２９】  次に、各運転モードにおける各機器の動作及び冷媒の流れについて説明する。［冷房運転モード］  図３は、本発明の実施の形態１に係る空気調和装置の冷房運転モードにおける冷媒の流れの一例を示す図である。図３に基づき、各利用側熱交換器２１で冷熱負荷が発生しているときの冷房運転モードについて説明する。図３において、冷媒回路１０１を流れる冷媒の流れ方向が実線矢印で示され、熱源側熱交換器１２及び各利用側熱交換器２１内の液冷媒Ｒの存在量が斜線で示されている。
【００３０】  冷房運転モードにおいて、制御装置９０は、圧縮機１０と熱源側ファン１６と各利用側ファン２２とを駆動し、流路切替装置１１を第１接続状態とし、各絞り装置２０を開とし、第１遮断装置１５を全開とするように制御する。圧縮機１０は、低温低圧の冷媒を吸入し、圧縮して、高温高圧の冷媒を吐出させる。圧縮機１０から吐出された高温高圧の冷媒は、流路切替装置１１を介して、熱源側熱交換器１２に流入する。熱源側熱交換器１２に流入した冷媒は、熱源側熱交換器１２において、熱源側ファン１６から供給される室外空気と熱交換して凝縮する。熱源側熱交換器１２で凝縮された冷媒は、第１遮断装置１５を通過後、室外機１から流出して、液主管３と各液枝管５とを通って各室内機２ａ、２ｂに流入する。
【００３１】  各室内機２ａ、２ｂに流入した冷媒は、各絞り装置２０で膨張されて各利用側熱交換器２１に流入する。各利用側熱交換器２１に流入した冷媒は、各利用側熱交換器２１において、室内空気から吸熱することにより室内空間を冷房しながら蒸発する。各利用側熱交換器２１で蒸発された冷媒は、各ガス枝管６とガス主管４とを通って室外機１へ流入する。室外機１に流入した冷媒は、流路切替装置１１を通り、アキュムレータ１３を介して圧縮機１０へ再度吸入される。
【００３２】  冷媒回路１０１における冷媒の分布について説明する。冷媒は、冷媒回路１０１内においてガスもしくは液の状態で存在する。ガスに比べ、液は密度が大きくなるため、液の状態で存在する部分で冷媒の分布が多くなっている。したがって、冷房運転モードにおいて、冷媒は、冷媒が凝縮する熱源側熱交換器１２と、液冷媒が流通する液主管３と各液枝管５と、冷媒が蒸発する各利用側熱交換器２１とに多く分布している。
【００３３】［暖房運転モード］  図４は、本発明の実施の形態１に係る空気調和装置の暖房運転モードにおける冷媒の流れの一例を示す図である。図４に基づき、各利用側熱交換器２１で温熱負荷が発生しているときの暖房運転モードについて説明する。図４において、冷媒回路１０１を流れる冷媒の流れ方向が実線矢印で示され、熱源側熱交換器１２、アキュムレータ１３及び各利用側熱交換器２１内の液冷媒Ｒの存在量が斜線で示されている。
【００３４】  暖房運転モードにおいて、制御装置９０は、圧縮機１０、熱源側ファン１６及び各利用側ファン２２を駆動し、流路切替装置１１を第２接続状態とし、各絞り装置２０を開とし、第１遮断装置１５を全開とするように制御する。圧縮機１０は、低温低圧の冷媒を吸入し、圧縮して、高温高圧の冷媒を吐出させる。圧縮機１０から吐出された高温高圧の冷媒は、流路切替装置１１を通り、室外機１から流出する。室外機１から流出した高温高圧の冷媒は、ガス主管４と各ガス枝管６とを通り、各室内機２ａ、２ｂの各利用側熱交換器２１に流入する。
【００３５】  各利用側熱交換器２１に流入した冷媒は、各利用側熱交換器２１において、室内空気に放熱することにより室内空間を暖房しながら凝縮する。各利用側熱交換器２１で凝縮された冷媒は、各絞り装置２０で膨張されて、各液枝管５と液主管３とを通り、室外機１へ流入する。室外機１へ流入した冷媒は、第１遮断装置１５を通って熱源側熱交換器１２に流入し、熱源側熱交換器１２において、室外空気から吸熱しながら蒸発する。熱源側熱交換器１２で蒸発した冷媒は、流路切替装置１１を通り、アキュムレータ１３を介して圧縮機１０へ再度吸入される。
【００３６】  冷媒回路１０１における冷媒の分布について説明する。暖房運転モードにおいて、冷媒は、冷媒が凝縮する各利用側熱交換器２１と、液冷媒が流通する液主管３と各液枝管５と、冷媒が蒸発する熱源側熱交換器１２とに多く分布している。
【００３７】［漏洩量低減モード］  図５は、本発明の実施の形態１に係る空気調和装置の漏洩量低減モードにおける各アクチュエータの状態を説明する図である。図６は、本発明の実施の形態１に係る空気調和装置の冷媒回収動作における冷媒の流れの一例を示す図である。図７は、本発明の実施の形態１に係る空気調和装置の冷媒移動動作における冷媒の流れの一例を示す図である。図８は、本発明の実施の形態１に係る空気調和装置の流出抑制動作における冷媒の流れの一例を示す図である。図５〜図８に基づき、通常運転時に室内への冷媒漏洩が発生した場合を例に、漏洩量低減モードの各動作について詳しく説明する。
【００３８】［冷媒回収動作］  図５及び図６に示されるように、冷媒回収動作において、制御装置９０は、流路切替装置１１を第１接続状態となるように制御する。事前の運転モードが冷房運転モードである場合、流路切替装置１１の切り替えは不要であるが、事前の運転モードが暖房運転モードもしくは停止状態である場合、流路切替装置１１は第１接続状態に切り替えられる。また制御装置９０は、流路切替装置１１の切り替えと同時に、第１遮断装置１５を閉じ、各絞り装置２０を全開にし、熱源側ファン１６及び各利用側ファン２２を全速にするように制御する。また制御装置９０は、圧縮機１０を駆動するように制御する。
【００３９】  ここで、制御装置９０は、圧縮機１０の回転数を吐出圧力Ｐｄに基づいて制御する。具体的には、吐出圧力センサ８１で計測された吐出圧力Ｐｄと、制御装置９０に予め登録された吐出圧力の目標値Ｐｄａとが比較され、式１に基づいて、圧縮機１０の増速及び減速が決定される。［数１］    Ｐｄ  ＜  Ｐｄａ        （式１）
【００４０】  上記式１が成立して吐出圧力Ｐｄが目標値Ｐｄａよりも低い場合、圧縮機１０の周波数は増速するように制御される。一方、上記式１が成立せず吐出圧力Ｐｄが目標値Ｐｄａよりも高い場合、圧縮機１０の周波数は減速するように制御される。ここで、目標値Ｐｄａは、吐出圧力閾値Ｐｄｔよりも低い値に設定することが望ましい。
【００４１】  図６において、冷媒回路１０１を流れる冷媒の流れ方向が実線矢印で示され、熱源側熱交換器１２、アキュムレータ１３及び各利用側熱交換器２１内の液冷媒Ｒの存在量が斜線で示されている。冷媒回収動作において、利用側回路１０２に存在する冷媒は、液主管３と、各液枝管５と、各利用側熱交換器２１と、各ガス枝管６と、ガス主管４とを介して室外機１に流入する。室外機１に流入した冷媒は、流路切替装置１１を通って、アキュムレータ１３に流入し、液冷媒はアキュムレータ１３内に滞留し、ガス冷媒は圧縮機１０に吸入される。圧縮機１０において、吸入されたガス冷媒は圧縮され、高温高圧の冷媒となって吐出される。圧縮機１０から吐出された高温高圧の冷媒は、流路切替装置１１を介して、熱源側熱交換器１２に流入する。熱源側熱交換器１２に流入した冷媒は、熱源側ファン１６から供給される室外空気と熱交換して凝縮液化する。熱源側熱交換器１２で凝縮された液冷媒Ｒは、熱源側熱交換器１２と、熱源側熱交換器１２と第１遮断装置１５との間の配管とに滞留する。
【００４２】  冷媒回収動作により、各利用側熱交換器２１等の利用側回路１０２に存在する冷媒量が減少し、熱源側熱交換器１２及びアキュムレータ１３等の室外機１に存在する冷媒量が増加する。また、各利用側ファン２２により、漏洩した冷媒を室内に攪拌して局所的な濃度上昇を抑制することができる。また冷媒回収動作が実施されると、利用側回路１０２は冷媒圧力が低い状態となるため、室内空間の大気圧との圧力差が小さくなり、冷媒の漏洩速度を低下させることができる。
【００４３】［冷媒移動動作］  図５及び図７に示されるように、冷媒移動動作において、制御装置９０は、流路切替装置１１を第２接続状態とし、圧縮機１０を停止するように制御する。また制御装置９０は、第１遮断装置１５を閉じ、各絞り装置２０を全開にし、熱源側ファン１６及び各利用側ファン２２を全速にするように制御する。つまり、冷媒回収動作から冷媒移動動作に切り替わる際、第１遮断装置１５と各絞り装置２０と熱源側ファン１６と各利用側ファン２２とは状態が維持される。
【００４４】  冷媒移動動作は、熱源側熱交換器１２に液冷媒Ｒが充満し、液冷媒Ｒを貯留するための空きがない場合に実行される。一般に、熱源側熱交換器１２が液冷媒Ｒで満たされている場合、熱源側熱交換器１２に冷媒を貯留する余裕が残っている場合と比べ、圧縮機１０からの冷媒の吐出圧力Ｐｄが高くなる。このため、熱源側熱交換器１２に空きがあるか否かの判定は、吐出圧力Ｐｄに基づいて行われる。具体的には、吐出圧力センサ８１で計測された吐出圧力Ｐｄと、記憶部９３に予め記憶された吐出圧力閾値Ｐｄｔとが比較され、式２に基づいて、冷媒移動動作への切り替えが決定される。［数２］    Ｐｄ  ＜  Ｐｄｔ        （式２）
【００４５】  上記式２が成立して現在の吐出圧力Ｐｄが吐出圧力閾値Ｐｄｔよりも低い場合には、冷媒移動動作への切り替えは行われない。一方、上記式２が成立せず現在の吐出圧力Ｐｄが吐出圧力閾値Ｐｄｔ以上である場合には、冷媒移動動作への切り替えが行われる。
【００４６】  図７において、冷媒回路１０１を流れる冷媒の流れ方向が実線矢印で示され、冷媒移動動作前及び動作後の液冷媒Ｒの存在量がそれぞれ点線及び斜線で示されている。冷媒移動動作に切り替えられると、熱源側熱交換器１２に存在する高圧の液冷媒は、流路切替装置１１を通ってアキュムレータ１３に流入する。このときアキュムレータ１３は低圧になっているため、圧力差によって熱源側熱交換器１２からアキュムレータ１３への冷媒の流れが発生する。熱源側熱交換器１２からアキュムレータ１３へ流れた液冷媒Ｒは、アキュムレータ１３に滞留する。
【００４７】  冷媒移動動作により、熱源側熱交換器１２に存在する冷媒量が減少し、アキュムレータ１３に存在する冷媒量が増加する。また、熱源側熱交換器１２に加えてアキュムレータ１３にも液冷媒が貯留されるため、熱源側熱交換器１２のみを使用して冷媒を回収する場合と比較して、より多くの冷媒量が室外機１に回収される。また冷媒移動動作が実施されると、利用側回路１０２は冷媒圧力が低い状態で維持されるため、冷媒回収動作が行われているときと同様に、室内空間の大気圧との圧力差が小さくなり、冷媒の漏洩速度を低下させることができる。
【００４８】［流出抑制動作］  図５及び図８に示されるように、流出抑制動作において、制御装置９０は、流路切替装置１１を第２接続状態とし、圧縮機１０を停止するように制御する。また制御装置９０は、第１遮断装置１５を閉じ、各利用側ファン２２を全速にするように制御する。つまり、冷媒回収動作から流出抑制動作に切り替えられる場合、第１遮断装置１５及び各利用側ファン２２の状態は維持される。さらに制御装置９０は、各絞り装置２０を全閉とし、熱源側ファン１６を停止するように制御する。
【００４９】  流出抑制動作は、利用側回路１０２の冷媒の室外機１への回収が完了した場合に実行される。一般に、利用側回路１０２に存在する冷媒量が少なくなると、吸入圧力Ｐｓが低くなる。このため、利用側回路１０２の冷媒の回収が完了したか否かは、吸入圧力Ｐｓに基づいて判定される。具体的には、吸入圧力センサ８２で計測された吸入圧力Ｐｓと、記憶部９３に予め記憶された吸入圧力閾値Ｐｓｔとが比較され、式３に基づいて、流出抑制動作への切り替えが決定される。［数３］    Ｐｓ  ＜  Ｐｓｔ        （式３）
【００５０】  上記式３が成立して現在の吸入圧力Ｐｓが吸入圧力閾値Ｐｓｔよりも低い場合には、利用側の冷媒の回収が完了したと判定され、流出抑制動作への切り替えが行われる。一方、上記式３が成立せず現在の吸入圧力Ｐｓが吸入圧力閾値Ｐｓｔ以上である場合には、利用側の冷媒の回収がまだ完了していないと判定され、流出抑制動作への切り替えは行われず、冷媒回収が続行される。
【００５１】  図８において、流出抑制動作後の液冷媒Ｒの存在量が斜線で示されている。流出抑制動作において、冷媒回路１０１に冷媒の流れは生じていない。熱源側熱交換器１２及びアキュムレータ１３を含む貯留部１４は、圧縮機１０と第１遮断装置１５とにより利用側回路１０２と流路が切り離されているため、室外機１から利用側回路１０２への冷媒の流れが遮断される。
【００５２】  流出抑制動作により、熱源側熱交換器１２とアキュムレータ１３等とを含む貯留部１４に回収した冷媒が室内側へ流出することを抑制することで、冷媒回収後も、利用側回路１０２の冷媒漏洩量を低減することができる。また、各絞り装置２０により、液主管３及び各液枝管５と、各利用側熱交換器２１、各ガス枝管６及びガス主管４との間の冷媒の流れを遮断できるため、冷媒回収後の冷媒漏洩量をさらに低減することができる。また流出抑制動作が実施されると、利用側回路１０２は冷媒圧力が低い状態で維持されるため、冷媒回収動作時と同様に、室内空間の大気圧との圧力差が小さくなり、冷媒の漏洩速度を低下させることができる。
【００５３】  図９は、本発明の実施の形態１に係る空気調和装置の漏洩量低減モードにおける制御フローを説明するフローチャートである。図９の漏洩量低減モードは、２つの冷媒漏洩検知装置８３ａ、８３ｂの少なくとも一方で冷媒漏洩が検知され、検知情報が制御装置９０に入力されたときに実施される。以下、直前に冷房運転モードが実施されている場合を例に説明する。
【００５４】  まず、運転制御部９１は、冷房運転モードから運転モードを切り替えて漏洩量低減モードを開始する（ステップＳＴ１１）。漏洩量低減モードが開始されると、運転制御部９１は、熱源側熱交換器１２に冷媒を貯留するための空きがあるか否かを判定する（ステップＳＴ１２）。このとき、運転制御部９１は、第１遮断装置１５を閉じるように制御して吐出圧力センサ８１で計測された吐出圧力Ｐｄに基づき判定を行う。
【００５５】  運転制御部９１は、熱源側熱交換器１２に空きが無いと判定された場合には（ステップＳＴ１２；ＮＯ）、冷媒移動動作を実施するように制御する（ステップＳＴ１３）。このとき、流路切替装置１１は第２接続状態に切り替えられ、圧縮機１０は運転が停止される。第１遮断装置１５は閉状態が維持され、各絞り装置２０は全開とされ、各利用側ファン２２及び熱源側ファン１６は全速となるように制御される。また運転制御部９１は、冷媒移動動作を開始する際に計時部９２に設定時間Ｔｓを設定し、冷媒移動動作が行われている時間を計測させる。冷媒移動動作が実施されると、熱源側熱交換器１２に貯留された液冷媒Ｒは流路切替装置１１を介してアキュムレータ１３に移動し、熱源側熱交換器１２には冷媒を貯留するための空きが生じる。
【００５６】  運転制御部９１は、計時部９２から設定時間Ｔｓの経過が通知されたとき、又はステップＳＴ１２において熱源側熱交換器１２に空きがあると判定された場合（ステップＳＴ１２；ＹＥＳ）、冷媒回収動作を実施するように制御する（ステップＳＴ１４）。このとき、流路切替装置１１は第１接続状態となるように制御され、圧縮機１０は、吐出圧力Ｐｄに基づいて決定された周波数で駆動される。第１遮断装置１５は閉状態が維持され、各絞り装置２０は全開とされ、各利用側ファン２２及び熱源側ファン１６は全速となるように制御される。つまり、冷媒移動動作から冷媒回収動作へ切り替えられる場合、流路切替装置１１の接続状態と圧縮機１０の運転状態とが切り替えられ、第１遮断装置１５と各絞り装置２０と各利用側ファン２２と熱源側ファン１６とは状態が維持される。冷媒回収動作が実施されると、利用側回路１０２の冷媒は室外機１に回収され、液冷媒はアキュムレータ１３に貯留され、ガス冷媒は圧縮機１０及び流路切替装置１１を介して熱源側熱交換器１２に流入し、熱源側熱交換器１２で凝縮され貯留される。
【００５７】  運転制御部９１は、冷媒回収動作を開始した後、予め設定された時間が経過したときに室内側の冷媒回収が完了したか否かを判定する（ステップＳＴ１５）。このとき、運転制御部９１は、吸入圧力センサ８２で計測された吸入圧力Ｐｓに基づき判定を行う。そして、室内側の冷媒回収が完了していないと判定された場合には（ステップＳＴ１５；ＮＯ）、運転制御部９１はステップＳＴ１２に戻り、ステップＳＴ１２〜ステップＳＴ１５の処理を繰り返して冷媒回収を続ける。
【００５８】  一方、利用側回路１０２の冷媒が減り、室内側の冷媒回収が完了したと判定された場合には（ステップＳＴ１５；ＹＥＳ）、運転制御部９１は、冷媒回収動作から流出抑制動作に切り替える（ステップＳＴ１６）。このとき、圧縮機１０は停止され、流路切替装置１１は第２接続状態に切り替えられる。第１遮断装置１５及び各利用側ファン２２は、冷媒回収動作のときの状態が維持される。一方、各絞り装置２０は全閉とされ、熱源側ファン１６は停止される。流出抑制動作が実施されると、回収された冷媒は室外機１内に封入される。一方、室内では、各利用側ファン２２の駆動により、冷媒回収後も冷媒が攪拌され、局所的な冷媒濃度の上昇が抑制される。運転制御部９１は、流出抑制動作を実施した後、漏洩量低減モードを終了する（ステップＳＴ１７）。
【００５９】  以上のように、実施の形態１において、空気調和装置１００は、冷媒漏れが検知された場合に、冷媒回収動作と冷媒移動動作とを実行する漏洩量低減運転を実施する。制御装置９０は、冷媒回収動作において、第１遮断装置１５を閉じ、流路切替装置１１を第１接続状態とし、圧縮機１０を駆動するように制御する。また制御装置９０は、冷媒移動動作において、流路切替装置１１を第２接続状態とし、圧縮機１０を停止するように制御する。
【００６０】  これにより、冷媒回収動作では、各室内機２ａ、２ｂの冷媒圧力と室内の空間圧力との圧力差を小さくして冷媒の漏洩速度を低下させるとともに、利用側回路１０２の冷媒を室外機１に回収して、利用側回路１０２の冷媒の存在量及び漏洩量を低減することができる。さらに冷媒移動動作により、熱源側熱交換器１２とアキュムレータ１３との圧力差によって熱源側熱交換器１２の冷媒をアキュムレータ１３へ移動させ、室外機１に貯留することができる冷媒量を増やすことができる。このように、空気調和装置１００は、室内への冷媒漏洩量を低減するとともに、室外機１に効率よく冷媒を回収することができる。また空気調和装置１００において、利用側回路１０２からの冷媒回収と室外機１内での冷媒移動が流路切替装置１１を介して行われるため、従来のようにバイパス回路を設ける必要が無く、冷媒回路１０１を簡略化することができる。
【００６１】  また制御装置９０は、冷媒回収動作を行う際に、絞り装置２０を全開とし、かつ、圧縮機１０の周波数を、吐出圧力Ｐｄが目標値Ｐｄａ未満であるときには増速し、吐出圧力Ｐｄが目標値Ｐｄａを超えるときには減速するように制御する。これより、冷媒回収動作において、利用側回路１０２の冷媒圧力を下げることで漏洩量を低減し、圧縮機１０の運転周波数を制御することで利用側の冷媒存在量を早急に減らすことができる。
【００６２】  また制御装置９０は、吐出圧力Ｐｄが、予め設定された吐出圧力閾値Ｐｄｔ以上である場合に、冷媒移動動作を実施するように制御する。これにより、熱源側熱交換器１２が冷媒で満たされている場合には冷媒移動動作を行うことができ、冷媒回収動作と冷媒移動動作とを切り替えて実行することで、利用側回路１０２の冷媒漏洩量及び冷媒存在量の低減を無駄なく実現することができる。
【００６３】  また吐出圧力閾値Ｐｄｔは、目標値Ｐｄａ以上に設定される。これにより、冷媒回収動作により利用側回路１０２の冷媒漏洩量を低減した後に冷媒移動動作が有効となるようにでき、制御が簡略化される。
【００６４】  また制御装置９０は、冷媒移動動作を行う際に、第１遮断装置１５を全閉とし、絞り装置２０を全開とするように制御する。これにより、冷房運転と暖房運転とを実施する空気調和装置１００において、簡単な回路構成で冷媒移動動作を実行することができ、従来のようにバイパス回路等を設ける必要がない。
【００６５】  また制御装置９０は、冷媒移動動作を実行している時間を計測するタイマー（計時部９２）を備え、タイマーにより計測された冷媒移動動作時間が設定時間Ｔｓ以上になったときに冷媒移動動作を終了する。これにより、タイマーを用いて冷媒移動動作の終了のタイミングを制御し、熱源側熱交換器１２からアキュムレータ１３に冷媒を確実に移動することができる。
【００６６】  また制御装置９０は、漏洩量低減運転時に、圧縮機１０を停止し、冷媒回収動作と冷媒移動動作とにより貯留部１４に貯留された冷媒の利用側熱交換器２１への流出を抑制する流出抑制動作を実施する。これにより、利用側回路１０２の冷媒を貯留部１４に回収した後も、回収された冷媒が利用側回路１０２へ流出することを防ぎ、室内の冷媒量を低減することができる。
【００６７】  また制御装置９０は、流出抑制動作を行う際に、流路切替装置１１を第２接続状態とし、第１遮断装置１５を全閉とし、絞り装置２０を全閉とするように制御する。これにより、第１遮断装置１５と圧縮機１０とにより室外機１と各室内機２ａ、２ｂとの間の冷媒移動を遮断しつつ、各絞り装置２０により利用側回路１０２の冷媒移動も抑制され、室内への冷媒漏れをさらに抑制することができる。
【００６８】  また制御装置９０は、吸入圧力センサ８２により検出された吸入圧力Ｐｓが、予め設定された吸入圧力閾値Ｐｓｔ以下である場合に、流出抑制動作を実施するように制御する。これにより、利用側回路１０２の冷媒漏洩量と冷媒存在量の低減を確実に行った後、流出抑制動作に切り替わるように制御することができる。
【００６９】  また空気調和装置１００は、熱源側ファン１６と利用側ファン２２とをさらに備える。そして、制御装置９０は、冷媒回収動作又は冷媒移動動作を実行しているときに、熱源側ファン１６の回転数を最大値に設定し、冷媒回収動作、冷媒移動動作又は流出抑制動作を実行しているときに、利用側ファン２２の回転数を最大値に設定する。これにより、熱源側ファン１６の動作により熱源側熱交換器１２で効率よく冷媒を凝縮することができ、利用側ファン２２の動作により室内に漏洩する冷媒を攪拌して冷媒濃度を低くすることができる。
【００７０】  また空気調和装置１００は、筐体に少なくとも圧縮機１０と流路切替装置１１と熱源側熱交換器１２と第１遮断装置１５とアキュムレータ１３とを収納した室外機１を有する。これにより、移動した冷媒が多量に存在する熱源側熱交換器１２及びアキュムレータ１３を室外に設置でき、かつ室内側との遮断を室外機１で行うことができる。
【００７１】  また空気調和装置１００は、冷媒と熱媒体とを熱交換させる熱媒体熱交換器をさらに備え、利用側熱交換器２１は、熱媒体熱交換器により熱交換された熱媒体によって室内の空調を行う。これにより、室内への熱搬送が熱媒体により行われるため、室内への冷媒漏洩のリスクを低減することができる。
【００７２】実施の形態２．  図１０は、本発明の実施の形態２に係る空気調和装置の回路構成の一例を模式的に示した図である。なお、図１０の空気調和装置２００において、図１の空気調和装置１００と同一の構成を有する部位には同一の符号を付してその説明を省略する。実施の形態２の空気調和装置２００は、室外機１の構成が実施の形態１の場合とは異なる。実施の形態２において、室外機１は、流路切替装置１１とアキュムレータ１３との間の配管１０３に、逆流防止弁１７を備えている。
【００７３】  実施の形態２の流出抑制動作について説明する。なお、実施の形態２の冷媒回収動作及び冷媒移動動作については、実施の形態１の場合と同じである。［流出抑制動作］  実施の形態２の流出抑制動作において、制御装置９０は、流路切替装置１１を第１接続状態とし、圧縮機１０を停止するように制御する。第１遮断装置１５及び各利用側ファン２２は冷媒回収動作時の状態が維持され、第１遮断装置１５は閉じられ、各利用側ファン２２は全速で駆動される。また制御装置９０は、各絞り装置２０を全閉とし、熱源側ファン１６を停止するように制御する。
【００７４】  流出抑制動作が実施されると、冷媒回路１０１に冷媒の流れは存在しない。貯留部１４に溜まった液冷媒Ｒは、第１遮断装置１５と逆流防止弁１７とにより利用側回路１０２と切り離されており、室外機１から利用側回路１０２への冷媒の流れが遮断される。
【００７５】  以上のように、実施の形態２において、空気調和装置２００は、流路切替装置１１とアキュムレータ１３とを接続する配管１０３に設けられた逆流防止弁１７を備える。逆流防止弁１７は、流路切替装置１１からアキュムレータ１３への流れを許容し、アキュムレータ１３から流路切替装置１１への流れを遮断する。そして制御装置９０は、流出抑制動作を行う際に、流路切替装置１１を第１接続状態とし、第１遮断装置１５を全閉とし、絞り装置２０を全閉とするように制御する。
【００７６】  これにより、流出抑制動作において、第１遮断装置１５と逆流防止弁１７とにより室外機１と各室内機２ａ、２ｂとの間の冷媒移動を遮断することができる。また、流出抑制動作時に流路切替装置１１を切り替える必要が無いため、流路切替装置１１の故障の発生頻度を低減することができる。
【００７７】実施の形態３．  図１１は、本発明の実施の形態３に係る空気調和装置の回路構成の一例を模式的に示した図である。なお、図１１の空気調和装置３００において、図１の空気調和装置１００と同一の構成を有する部位には同一の符号を付してその説明を省略する。実施の形態３の空気調和装置３００は、室外機１の構成が実施の形態１の場合とは異なる。実施の形態３において、室外機１は、ガス主管４と流路切替装置１１との間の配管１０４に第２遮断装置１８ａを備えている。
【００７８】  実施の形態３の流出抑制動作について説明する。なお、実施の形態３の冷媒回収動作及び冷媒移動動作については、実施の形態１の場合と同様である。［流出抑制動作］  実施の形態３の流出抑制動作において、制御装置９０は、第２遮断装置１８ａを閉じ、流路切替装置１１を第１接続状態とし、圧縮機１０を停止する。第１遮断装置１５及び各利用側ファン２２は冷媒回収動作時の状態が維持され、第１遮断装置１５は閉じられ、各利用側ファン２２は全速で駆動される。また制御装置９０は、各絞り装置２０を全閉とし、熱源側ファン１６を停止するように制御する。
【００７９】  流出抑制動作が実施されると、冷媒回路１０１に冷媒の流れは存在しない。貯留部１４に溜まった液冷媒Ｒは、第１遮断装置１５と第２遮断装置１８ａとにより利用側回路１０２と切り離されており、室外機１から利用側回路１０２への冷媒の流れが遮断される。
【００８０】  以上のように、実施の形態３において、空気調和装置３００は、流路切替装置１１と利用側熱交換器２１とを接続する配管１０４に設けられた第２遮断装置１８ａを備える。そして制御装置９０は、流出抑制動作を行う際に、流路切替装置１１を第１接続状態とし、第１遮断装置１５及び第２遮断装置１８ａを全閉とし、絞り装置２０を全閉とするように制御する。
【００８１】  これにより、流出抑制動作において、第１遮断装置１５と第２遮断装置１８ａとにより室外機１と各室内機２ａ、２ｂとの間の冷媒移動を遮断することができる。また、流出抑制動作時に流路切替装置１１を切り替える必要が無いため、流路切替装置１１の故障の発生頻度を低減することができる。
【００８２】実施の形態４．  図１２は、本発明の実施の形態４に係る空気調和装置の回路構成の一例を模式的に示した図である。なお、図１２の空気調和装置４００において、図１の空気調和装置１００と同一の構成を有する部位には同一の符号を付してその説明を省略する。実施の形態４の空気調和装置４００は、室外機１の構成が実施の形態１の場合とは異なる。実施の形態４において、室外機１は、圧縮機１０と流路切替装置１１との間の配管１０５に第２遮断装置１８ｂを備えている。
【００８３】  実施の形態４の流出抑制動作について説明する。なお、実施の形態４の冷媒回収動作及び冷媒移動動作については、実施の形態１の場合と同様である。［流出抑制動作］  実施の形態４の流出抑制動作において、制御装置９０は、流路切替装置１１を第２接続状態に切り替え、第２遮断装置１８ｂを閉じ、圧縮機１０を停止するように制御する。第１遮断装置１５及び各利用側ファン２２は冷媒回収動作時の状態が維持され、第１遮断装置１５は閉じられ、各利用側ファン２２は全速で駆動される。また制御装置９０は、各絞り装置２０を全閉とし、熱源側ファン１６を停止するように制御する。
【００８４】  流出抑制動作が実施されると、冷媒回路１０１に冷媒の流れは存在しない。貯留部１４に溜まった液冷媒Ｒは、第１遮断装置１５と、圧縮機１０及び第２遮断装置１８ｂとによって利用側回路１０２と切り離されており、室外機１から利用側回路１０２への冷媒の流れが遮断される。
【００８５】  以上のように、実施の形態４において、空気調和装置４００は、圧縮機１０と流路切替装置１１とを接続する配管１０５に設けられた第２遮断装置１８ｂをさらに備える。そして制御装置９０は、流出抑制動作を行う際に、流路切替装置１１を第２接続状態とし、第１遮断装置１５及び第２遮断装置１８ｂを全閉とし、絞り装置２０を全閉とするように制御する。
【００８６】  これにより、流出抑制動作において、第１遮断装置１５と圧縮機１０と第２遮断装置１８ｂとにより室外機１と利用側回路１０２との間の冷媒移動を遮断することができる。特に、冷媒回収後、圧縮機１０及び第２遮断装置１８ｂの双方によりガス主管４への流れが遮断されるため、圧縮機１０の構造上の都合で冷媒が圧縮機１０を通過する場合においても、利用側回路１０２への冷媒の流出を抑制することができる。
【００８７】  なお、本発明の実施の形態は上記実施の形態に限定されず、種々の変更を行うことができる。例えば、図１では、制御装置９０が室外機１に設けられている場合について示されているが、制御装置９０は、室外機１及び各室内機２ａ、２ｂのそれぞれに設けられていてもよいし、２台の室内機２ａ、２ｂのうちの少なくとも一方に設けられていてもよい。
【符号の説明】
【００８８】  １  室外機、２ａ、２ｂ  室内機、３  液主管、４  ガス主管、５  液枝管、６  ガス枝管、１０  圧縮機、１１  流路切替装置、１２  熱源側熱交換器、１３  アキュムレータ、１４  貯留部、１５  第１遮断装置、１６  熱源側ファン、１７  逆流防止弁、１８ａ、１８ｂ  第２遮断装置、２０  絞り装置、２１  利用側熱交換器、２２  利用側ファン、８１  吐出圧力センサ、８２  吸入圧力センサ、８３ａ、８３ｂ  冷媒漏洩検知装置、９０  制御装置、９１  運転制御部、９２  計時部、９３  記憶部、１００、２００、３００、４００  空気調和装置、１０１  冷凍回路、１０２  利用側回路、１０３、１０４、１０５  配管、Ｒ  液冷媒。
【要約】  空気調和装置（１００）は、冷凍サイクル（１０，１１，１２，２０，２１）と、熱源側熱交換器（１２）と絞り装置（２０）とを接続する配管に設けられた第１遮断装置（１５）と、冷媒漏洩検知装置（８３ａ，８３ｂ）と制御装置（９０）とを備える。制御装置は、圧縮機（１０）の吐出側を熱源側熱交換器に接続する第１接続状態と、圧縮機の吸入側を、アキュムレータ（１３）を介して熱源側熱交換器に接続する第２接続状態とを切り替えるように流路切替装置（１１）を制御する。また制御装置は、冷媒漏れが検知された場合に、冷媒回収動作と冷媒移動動作とを実施する。制御装置は、冷媒回収動作では、第１遮断装置を閉じ、流路切替装置を第１接続状態とし、圧縮機を駆動するように制御し、冷媒移動動作では、流路切替装置を第２接続状態とし、圧縮機を停止するように制御する。【図１】
0006377299.tif 000002
【図２】
0006377299.tif 000003
【図３】
0006377299.tif 000004
【図４】
0006377299.tif 000005
【図５】
0006377299.tif 000006
【図６】
0006377299.tif 000007
【図７】
0006377299.tif 000008
【図８】
0006377299.tif 000009
【図９】
0006377299.tif 000010
【図１０】
0006377299.tif 000011
【図１１】
0006377299.tif 000012
【図１２】
0006377299.tif 000013